(57)【要約】【課題】遊技媒体貸出機の正面に、突出受皿状の遊技媒体補充部を設け、該遊技媒体補充部に専用の補充容器を差し込み開放して補充することができるため、店員が行っているメダル貸出機内の遊技媒体払出し装置への補充作業が簡易に行うことができ、収容容量（枚数）も今までと同じにすることが出来る、遊技媒体貸出機及び補充容器を提供する。【解決手段】遊技媒体を収容した補充容器を用いて、内部の遊技媒体払出し装置に補充する遊技媒体貸出機において、補充容器が差し込みできる開口幅の投入カバー付の補充口と、遊技媒体払出し装置に導く傾斜面を有する突出受皿状の遊技媒体補充部を、遊技媒体貸出機の正面に設けた、構成とした。【選択図】      図８
2005102850.tif 000002
【特許請求の範囲】
【請求項１】
遊技媒体を収容した補充容器を用いて、内部の遊技媒体払出し装置に補充する遊技媒体貸出機において、
上記補充容器が差し込みできる開口幅の投入カバー付の補充口と、上記遊技媒体払出し装置に導く傾斜面を有する突出受皿状の遊技媒体補充部を、上記遊技媒体貸出機の正面に設けたことを特徴とする遊技媒体貸出機。
【請求項２】
請求項１記載の遊技媒体貸出機において、
上記補充容器は、側面に把手を有し、一方又は両方を開口した収容容器と成し、開口した何れか側に開閉蓋を設け、該開閉蓋は操作部を操作すると開閉機構によって開閉するように構成され、
上記補充容器を、上記遊技媒体補充部の補充口に差し込み、上記操作部を操作することにより開閉蓋が開き、補充容器内の遊技媒体を遊技媒体払出し装置に補充する、構成としたことを特徴とする補充容器。
【発明の詳細な説明】
【技術分野】
【０００１】
本発明は、遊技媒体貸出機の正面に、突出受皿状の遊技媒体補充部を設け、該遊技媒体補充部に差し込むことが出来る専用の補充容器によって、店員が行っている遊技媒体貸出機等の遊技媒体払出し装置（メダル払出し装置）への補充作業を軽減することができる、遊技媒体貸出機及び補充容器に関するものである。
【背景技術】
【０００２】
通常、パチンコ遊技店は、複数台１５台乃至２０台程度の遊技機と遊技媒体貸出機とを隣接して直線状に列設（背中合わせの横方向）させた遊技島が構築されている。上記遊技島は、パチンコ玉にて遊技する遊技機（パチンコ台）であれば、隣接する遊技媒体貸出機は、パチンコ玉貸出機が配設され、メダルにて遊技する遊技機（スロットマシン）であれば、隣接する遊技媒体貸出機は、メダル貸出機が配設されることになる。
【０００３】
以下、遊技機をスロットマシンとし、遊技媒体貸出機をメダル貸出機として説明していく。
スロットマシンと、メダル貸出機とが隣接する遊技島において、配設されたスロットマシンは、その前面にメダル投入口と遊技操作部とを有しており、メダル投入口にメダルが投入されると、投入されたメダル枚数及び遊技操作部での操作に応じて、回胴リール装置が回胴し、遊技者が操作（スタート操作及びストップ操作）することにより遊技が行われる。また、遊技操作部の下方には、遊技の結果に応じてメダルを払い戻すための下受皿が設けられている。この下受皿にメダルを円滑に払い戻すために、その内部には遊技媒体払出し装置が設けられている。この遊技媒体払出し装置には約２５００枚程度のメダルが貯留するようになっている。
【０００４】
一方、遊技島に配設されたメダル貸出機は、スロットマシンに隣接して設けられている。
メダル貸出機は、略長方形状から成る貸出機本体部を設け、正面に紙幣を投入する紙幣投入口とメダルを払出すメダル払出口とが設けられている。このメダル払出口にメダルを円滑に払い出す（貸出す）ために、その内部には貯留部付遊技媒体払出し装置が設けられている。この貯留部付遊技媒体払出し装置には約２０００枚程度のメダルが貯留するようになっている。
【０００５】
上記したスロットマシンとメダル貸出機とを配設した遊技島においては、各スロットマシン内部の遊技媒体払出し装置と、各メダル貸出機内部の貯留部付遊技媒体払出し装置内には開店前、多量のメダルを事前に貯留しておく。スロットマシン内部の遊技媒体払出し装置においては、大当たりが生じると一回で約４００枚から５００枚が払出される。この大当たりが頻繁に続くと、遊技媒体払出し装置内のメダルが不足し、メダル不足トラブルとなって報知される。
一方、メダル貸出機内部の貯留部付遊技媒体払出し装置においては、遊技者が紙幣（千円紙幣）を投入することにより、一度に５０枚のメダルが払出される。夕方近くなると、次第に貯留部付遊技媒体払出し装置内のメダルが不足し、貸出中止トラブルとなって報知される。
上記した遊技島においては、配設した何れかのスロットマシンで不足トラブルが報知さ
れると、その都度、店員が補充容器によって補充作業を行い、同様に配設した何れかのメダル貸出機においても貸出中止トラブルになると、その都度、店員が補充容器によって補充作業を行っていた。上記した補充作業は、店員による手作業によって行なわれる。
【０００６】
昨今、今まで行っていた補充作業を自動化にした、いわゆる自動補給回収システムが提供されるようになっている。該自動補給回収システムは、スロットマシンの上方に補給ラインと、スロットマシンの下方に回収ラインと、島端にメダル磨き装置付きの補充タンク等とから大略構成されている。
このような自動補給回収システムを導入することにより、店員の補充作業が軽減するが、システム構成による製品である故に高価となり設備費用が負担となっていた。さらに自動補給することにより、不正操作によりスロットマシンの鍵が開放され、抜き取られるという課題を有していた。
【０００７】
そこで、島端にメダル回収機を備えた新たなメダル管理システムが提供されてきている。
この構成を記載すれば、
「遊技媒体の投入を条件に遊技を開始するとともに該遊技の結果に応じて遊技媒体の払い戻しを行う遊技機と、前記遊技機に投入するための遊技媒体の貸し出しを行う遊技媒体貸出機と、前記遊技機に投入された遊技媒体または前記遊技機が払い戻した遊技媒体を回収する遊技媒体回収機と、を備えてなる遊技媒体管理システムにおいて、
前記遊技媒体回収機は、着脱自在に形成された媒体補給容器が挿着される容器収納手段と、前記容器収納手段に挿着された媒体補給容器内に回収した遊技媒体を供給する媒体供給手段とを備えており、前記遊技機および前記遊技媒体貸出機のうちの少なくとも一つは、払い戻しまたは貸し出しに用いるための遊技媒体を貯留しておく媒体貯留手段と、前記媒体貯留手段の上方に前記容器収納手段から取り出した媒体補給容器を挿着するための被挿着手段とを備えており、前記媒体補給器具は、前記被挿着手段に挿着されると当該媒体補給器具の底板が開いた状態となるように構成された」メダル管理システムである。
上記したメダル管理システムは、下記の特許文献１に開示されている。
【特許文献１】特開２００１−６２１３６号公報
【０００８】
上記したメダル管理システムを説明すると、
遊技媒体回収機の正面の容器収納手段に、媒体補給容器を挿着すると、磨かれたメダルが媒体補給容器に供給され待機状態でいる。そして、店員は、補充要求があった遊技媒体貸出機の場所まで媒体補給容器を持って出向き、媒体補給容器を遊技媒体貸出機の前面パネルを開け、内部に設けた案内レールに沿って水平姿勢で挿着すると底板が開いた状態となり、媒体補給容器内のメダルがメダル払出しホッパー内に落下して貯留することにより、補充される。そして、補充が終了したら、媒体補給容器を遊技媒体貸出機の内部から案内レールに沿って後方に抜き出し、前面パネルを閉めることにより補充作業が完了する（公報の図２参照）。
【発明の開示】
【発明が解決しようとする課題】
【０００９】
しかしながら、上記した構成による補充作業においては、下記する課題が指摘されていた。店員は、補充要求があった遊技媒体貸出機の場所まで媒体補給容器を持って出向き、内部に設けた案内レールに沿って水平姿勢で挿着し、補充作業を行うがメダルが入った重い媒体補給容器を水平姿勢に保ちながら挿着する操作は、特に女性の店員にとっては労力を使い挿入し難く、入れ難くい。然も傾いて挿着すると溢してしまう恐れもあった。
さらに、メダル払出しホッパーの上方に案内レールに沿って媒体補給容器を挿着することから、その分、つまり、媒体補給容器の幅（厚み分）だけスペースが必要となる。
そのため、貯留部分のスペースがなくなった遊技媒体払出し装置（メダル払出しホッパー）となり、補充されるメダルの収容容量（枚数）が少なくなってしまい、頻繁に補充しなくてはならなかった。
【００１０】
本発明は、以上の点に鑑みなされたもので、遊技媒体貸出機の正面に、突出受皿状の遊技媒体補充部を設け、該遊技媒体補充部に専用の補充容器を差し込んで補充することができるため、店員が行っている遊技媒体貸出機内に備えた遊技媒体払出し装置への補充作業が簡易に行うことができ、収容容量（枚数）も今までと同じにすることができる、遊技媒体貸出機及び補充容器を提供する。
【課題を解決するための手段】
【００１１】
本発明の構成は、遊技媒体を収容した補充容器を用いて、内部の遊技媒体払出し装置に補充する遊技媒体貸出機において、
上記補充容器が差し込みできる開口幅の投入カバー付の補充口と、上記遊技媒体払出し装置に導く傾斜面を有する突出受皿状の遊技媒体補充部を、上記遊技媒体貸出機の正面に設けた、構成としたことによって達成される。
【００１２】
また、本発明の構成は、請求項１記載の遊技媒体貸出機において、
上記補充容器は、側面に把手を有し、一方又は両方を開口した収容容器と成し、開口した何れか側に開閉蓋を設け、該開閉蓋は操作部を操作すると開閉機構によって開閉するように構成され、
上記補充容器を、上記遊技媒体補充部の補充口に差し込み、上記操作部を操作することにより開閉蓋が開き、補充容器内の遊技媒体を遊技媒体払出し装置に補充する、構成としたことによって達成される。
【発明の効果】
【００１３】
以上、本発明の構成によれば、補充容器が差し込みできる開口幅の投入カバー付の補充口と、上記遊技媒体払出し装置に導く傾斜面を有する突出受皿状の遊技媒体補充部を、上記遊技媒体貸出機の正面に設け、上記遊技媒体補充部の補充口に補充容器を差し込んで遊技媒体を補充することによって、補充容器内の遊技媒体は遊技媒体払出し装置へと放出して補充される。その結果、店員は楽な姿勢にて補充作業を行うことができるため、女性の店員であっても労力を必要とせず、簡易に行え、然も外に溢すことなく行える効果を有している。
さらに、媒体補給容器の幅（厚み分）のスペースを遊技媒体貸出機内部に設ける必要がないため、貯留部にも貯留することができ、貯留部付遊技媒体払出し装置の収容容量（枚数）も減ることなく、今までと同じ収容容量にすることができる。
【発明を実施するための最良の形態】
【００１４】
以下、図面に示した実施形態を詳細に説明する。図１及び図２は本発明の遊技媒体貸出機の外観を示す斜視図であり、図３及び図４は他の実施形態の遊技媒体貸出機の構成を示す外観斜視図であり、図５及び図６は本発明の補充容器の閉時、開時状態を示す側面図であり、図７は本発明の補充容器の開時状態を示す外観斜視図である。
【実施例１】
【００１５】
始めに、遊技島に配設された各遊技設備について説明する。
遊技島には、複数台（１５台乃至２０台程度）の遊技台と遊技媒体貸出機とが隣接して配設されている。遊技台がスロットマシンの場合、隣接する遊技媒体貸出機はメダル貸出機が配設されている。
【００１６】
通常形態（周知構成）のメダル貸出機の構成について説明する。なお、符号による説明はしない。
メダル貸出機は、スロットマシンに隣接して配設され、約１００ミリ幅の略長方形状から成る貸出機本体部を設け、正面上方に紙幣を投入する紙幣投入口（紙幣収納付紙幣識別装置）と、正面下方にメダルを払出すメダル払出口とが設けられ、このメダル払出口にメダルを払出す貯留部付遊技媒体払出し装置が内部に設けられている。
該貯留部付遊技媒体払出し装置は、約２０００枚程度のメダルが貯留する大きさ、深さになっている。なお、貯留部１０ｄとは貸出機本体部内部の遊技媒体払出し装置の上方の壁のスペースのことを言う。また、図示しないが制御部も設けられ、投入された紙幣に応じたメダルを払出すように制御している。
【００１７】
図１及び図２に示す、メダル貸出機は上記通常形態とは下記する点で異なる構成が設けられている。
メダル貸出機１０（貸出機本体部１０ａ）の正面に、投入カバー１５ａ付の補充口１５ｂと、該補充口１５ｂに投入された遊技媒体を内部に導くよう下方に向けた傾斜面１５ｅとを有し、正面と略同じ幅の突出受皿状から成る遊技媒体補充部１５が設けられている点である。この遊技媒体補充部１５の補充口１５ｂに、後述する専用の補充容器１が差し込まれ、補充容器１の操作部２ａを操作することによって補充作業が行われる。
【００１８】
遊技媒体補充部１５は、上面が斜め開口し補充容器１が差し込みできる開口幅の補充口１５ｂを有し、この補充口１５ｂには、一端が蝶番１５ｃにて支持された開閉自在の投入カバー１５ａが設けられている。
通常、補充口１５ｂは、投入カバー１５ａによって塞がれているため異物等が投入されることがなく、さらにこの投入カバー１５ａには鍵１５ｄ（施錠装置）も備えられている。よって、店員が所持している鍵１５ｄ（手動操作による鍵）を装着し、鍵操作した時のみ開閉するように成っている。また、補充口１５ｂの一端の蝶番１５ｃには付勢部材が設けられ適度な開閉具合と成している。上記補充口１５ｂに投入カバー１５ａを設けることによって悪戯が防止され、さらに鍵１５ｄを設けることによって、不正による抜き取りを防止することも出来る。また、図示しないが、万が一、不正（鍵操作以外）に開放された場合、外部に報知するようになっている。また、遊技媒体補充部１５は略屈曲に形成されているため、手を挿入しようとしても内部の遊技媒体払出し装置１０ｅまでは届き難くしている。
【００１９】
上記した遊技媒体補充部１５について詳しく記述する。
遊技媒体補充部１５は、上面が斜めに開口した補充口１５ｂを有し、内壁底面が下方に向かって傾斜した傾斜面１５ｅを有し、内部に若干幅広と成した補充空間部（スペース）を有する略三角形の突出受皿形状に形成され、メダル貸出機１０（貸出機本体部１０ａ）の正面中央付近の位置に設けられている。
上記遊技媒体補充部１５（受皿部）の補充口１５ｂは、例えば、約１１０ミリの開口幅に形成され、後述する専用の補充容器１の径（例えば、約１００ミリ）よりも若干幅広に開口されている。また、上記補充口１５ｂ内の内壁底面の傾斜面１５ｅに連接して傾斜する連絡傾斜面１５ｆが設けられ、内部の貯留部付遊技媒体払出し装置１０ｅに導くように成している。
【００２０】
上記遊技媒体補充部１５の補充口１５ｂに、補充容器１の一部分を差し込み、操作部２ａを操作すると、補充空間部内で開閉蓋１ｂが開き、底面開口１ｄから排出されたメダルは、傾斜した傾斜面１５ｅから連絡傾斜面１５ｆを滑動していき貯留部付遊技媒体払出し装置１０ｅ内に導かれていく。よって、補充する際、外に零れることがない。
また、上記した遊技媒体補充部１５を正面より外部（突出形状）に形成することにより、媒体補給容器の幅（厚み分）のスペースを貸出機本体部１０ａの内部に設ける必要がなくなり、今までの貯留部１０ｄにも貯留することができる。
なお、遊技媒体補充部１５は上記した形状に限定するものでなく、正面より突出形状した大きさ、形状であれば良く、また、遊技媒体補充部１５は貸出機本体部１０ａの正面に一体形成に設けても良く、さらに遊技媒体補充部１５のみ別部品とし、貸出機本体部１０ａの正面に螺子等にて取付ける構成としても良い。
【００２１】
次に、他の実施形態のメダル貸出機２０及び遊技媒体補充部２５の構成について説明する。図３及び図４は他の実施形態の遊技媒体貸出機の外観を示す斜視図である。
上述したメダル貸出機１０と、同じ構成については説明を省略し、以下、異なる点のみ詳述する。メダル貸出機２０（貸出機本体部２０ａ）の正面に、遊技媒体補充部２５が設けられ、該遊技媒体補充部２５の補充口２５ｂの投入カバー２５ａが自動操作にて開閉する点である。自動操作は、検知部２５ｄと施錠装置２５ｇ（ソレノイド）により、構成されている。
上述した遊技媒体補充部１５の補充口１５ｂの投入カバー１５ａは、店員が所持した鍵１５ｄを手動操作によって鍵操作（開錠操作及び閉錠操作）していたが、鍵操作が面倒であり、鍵が紛失してしまうと不正に抜き取られる恐れがあった。ここでは、手動操作を行わず自動操作によって鍵操作するようにしている。
【００２２】
メダル貸出機２０（貸出機本体部２０ａ）の正面に、投入カバー２５ａ付の補充口２５ｂと、該補充口２５ｂに投入された遊技媒体を内部に導くよう下方に向けた傾斜面２５ｄとを有し、正面と略同じ幅の突出受皿状から成る遊技媒体補充部２５が設けられている点である。この遊技媒体補充部２５の補充口２５ｂに、後述する専用の補充容器１が差し込まれ、補充容器１の操作部２ａを操作することによって補充作業が行われる。
【００２３】
遊技媒体補充部２５は、上面が斜め開口した補充口２５ｂを有し、この補充口２５ｂには、他端が蝶番２５ｃにて支持された開閉自在の投入カバー２５ａが設けられている。
通常、補充口２５ｂは、投入カバー２５ａによって塞がれているため異物等が投入されることがなく、さらにこの投入カバー２５ａの付近には検知部２５ｄも設けられている。
施錠装置２５ｇである、例えばソレノイドが補充口２５ｂに近接した貸出機本体部２０ａに設けられている。この施錠装置２５ｇ（ソレノイド等）は、補充口２５ｂ付近に設けた検知部２５ｄの検知出力によって開閉錠するようになっている。なお、検知部２５ｄ、施錠装置２５ｇ、貯留部付遊技媒体払出し装置２０ｅ等は制御部２５ｆと電気的に接続され、関連付けて動作制御するようになっている。
図４に示すように、この検知部２５ｄは、後述する補充容器１に設けた認証部２ｅを近づけると自動で施錠装置２５ｇが開錠する。なお、作業後に閉めると自動で施錠装置２５ｇが閉錠する。よって、店員が所持している鍵の手動操作をする必要がなくなり、補充する作業が一段と楽に行える。なお、上記した施錠装置２５ｇ以外の構成によって自動で開錠、閉錠するものを採用しても良い（例えば、電磁ロック、リモコン施錠等）。
【００２４】
次に、上述したメダル貸出機の正面に設けた遊技媒体補充部に補充する、専用の補充容器の構成について説明する。
図５乃至図７に示すように、補充容器１は上面（上面開口１ｃ）及び底面（底面開口１ｄ）の両方が開口した収容容器１ａ（略円形の容器形状）と成し、該収容容器１ａの底面側に開閉蓋１ｂを設け、該開閉蓋１ｂは把手２に設けた操作部２ａの操作によって開閉する開閉機構とから、大略構成されている。なお、ここでの収容容器１ａは上面及び底面の両方が開口し、開口した底面側に開閉蓋１ｂが設けられている。
収容容器１ａは、上面側を開口した上面開口１ｃと、底面側を開口した底面開口１ｄとの筒状と成し、底面開口１ｄの開閉蓋１ｂが操作部２ａの操作によって開閉するように成している。開閉蓋１ｂは、一端が軸支され、他方が開閉するように付勢部材１ｆによって付勢されている。開閉蓋１ｂの一端には突出したストッパー１ｅが設けられている。
上記した補充容器１は、例えば、島端に備えたメダル補給半自動システムの補給部に装着され、収容枚数（約８００枚程度）のメダルが上面側の上面開口１ｃから収容容器１ａ内に補給される。なお、収容枚数は、メダルの径によって異なる。
【００２５】
次に、把手に備えた操作部の構成及び開閉蓋の開閉機構について説明する。図５は、開閉蓋の閉状態を示した図であり、収容容器１ａの側壁には把手２が設けられ、この把手２は店員が持ち運び出来るよう略コの字状と成し、握り易くしている。把手２には、上記した収容容器１ａの底面開口１ｄの開閉蓋１ｂを開閉させるための操作部２ａの開閉レバー２ｂがシーソー状態と成して上端に設けられている。
開閉レバー２ｂの先端と、連結杆２ｃの上端とが当接する位置と成し、開閉レバー２ｂを押圧すると、連動して連結杆２ｃも上下動する（ここでは下方位置）。連結杆２ｃはスライドカバー２ｄによってガイドされ、上下時のガイド機能と成している。スライドカバー２ｄから突出した連結杆２の最下端と、開閉蓋１ｂの一端に突出したストッパー１ｅとが当接している。この当接状態によって収容容器１ａの開閉蓋１ｂは開かず、閉じられた状態を維持している（開閉レバー２ｂが右下がり状態）。
以上、ここでの開閉蓋１ｂの開閉機構は、開閉レバー２ｂと、連結杆２ｃと、スライドカバー２ｄとから構成したものである。なお、ここでの開閉蓋の開閉機構に限定されるものでない。
【００２６】
図６及び図７は、開閉蓋の開状態を示した図である。
上記したように開閉レバー２ｂを押圧すると、連動して連結杆２ｃも上下動する（ここでは上方位置）。今までスライドカバー２ｄから突出した連結杆２の最下端と、開閉蓋１ｂの一端に突出したストッパー１ｅとが当接していたが、連結杆２が持ち上がると当接した状態がなくなり、よって収容容器１ａの開閉蓋１ｂが約９０度開放し、開放した状態が維持され、メダルが底面開口１ｄから放出される（開閉レバー２ｂが右上がり状態）。
補充作業が終了した時点で、開閉レバー２ｂを元の位置に戻すと初期の状態、即ち、スライドカバー２ｄから突出した連結杆２の最下端と、開閉蓋１ｂの一端に突出したストッパー１ｅとが当接した、当接状態となり、収容容器１ａの開閉蓋１ｂが閉じられた状態に復帰する。
【００２７】
以上の構成を備え、上述した遊技媒体貸出機１０の正面に設けた遊技媒体補充部１５に、専用の補充容器１を差し込み補充する補充作業について説明する。ここでの補充作業は、手動操作による鍵１５ｄ（施錠装置）を例に説明する。
補充容器１は、例えば、島端に備えたメダル補給半自動システムの補給部に装着され、収容容器１ａ内に所定枚数のメダルが収容され、待機状態と成している。遊技島に配設された何れかのメダル貸出機１０において貸出中止トラブルが生じると、店員は、補給部に装着された補充容器１を持ってメダル貸出機１０の遊技媒体補充部１５にメダルを補充する。
【００２８】
作業するにあたって、店員は遊技媒体貸出機１０の遊技媒体補充部１５の補充口１５ｂに設けた投入カバー１５ａの鍵１５ｄ（施錠装置）を、所持している鍵にて鍵操作（開錠操作）を行う。
開錠したら、メダルが収容された補充容器１の底面側の一部分を遊技媒体補充部１５の補充口１５ｂ内に差し込む。そして、把手２の操作部２ａを操作すると、収容容器１の底面開口１ｄの開閉蓋１ｂが補充空間部内で開き、内部のメダルが払出（放出）される。払出されたメダルは傾斜した傾斜面１５ｅより連絡傾斜面１５ｆを滑動しながら遊技媒体払出し装置１０ｅ内へと導かれていく（図８参照）。
このようにメダル貸出機１０への補充作業は、専用の補充容器１を遊技媒体貸出機１０の正面に設けた突出受皿状の遊技媒体補充部１５に傾斜姿勢で差し込むという傾斜した姿勢にて作業を行うことが出来る。よって、女性店員であっても、従前行っていた水平姿勢を保ちながら補充する作業に比べて、挿入し易くなり、労力を使わず簡易に行うことが出来る。
そして、補充口１５ｂ内に差し込んだ補充容器１内のメダルが全て放出したのを確認し、補充容器１を抜き出し、補充口１５ｂに設けた投入カバー１５ａの鍵を鍵操作（閉錠操作）して終了となる。なお、補充容器１は、再び島端に備えたメダル補給半自動システムの補給部に装着しておく。
【００２９】
次に、上述した図３及び図４に示した遊技媒体貸出機の正面に設けた遊技媒体補充部に、専用の補充容器を差し込み補充する補充作業のうち、ここでの補充作業は、自動操作による検知部２５ｄと施錠装置２５ｇ（ソレノイド）を例に説明する。
【００３０】
上述した補充容器１と同じ構成については省略し、異なる構成のみ説明するが、同じ符号を用いる。
ここでの補充容器１の底部側の連結杆２ｃには認証部２ｅが埋め込まれている点である。認証部２ｅは、例えば遊技店特有の暗証番号が付与されたＩＣチップ等から成している。なお、ここでの認証部２ｅに限定されるものではない。
【００３１】
作業するにあたって、店員は遊技媒体貸出機２０の正面に設けた遊技媒体補充部２５の補充口２５ｂに設けた投入カバー２５ａ付近の検知部２５ｄと、メダルを収容した補充容器１の底部側の認証部２ｄとを近づけて認証操作を行う。正規であれば投入カバー２５ａの施錠装置２５ｇ（ソレノイド）が開錠し、補充容器１の一部分を遊技媒体補充部２５の補充口２５ｂ内に差し込む。そして、把手２の操作部２ａを操作すると、収容容器１ａの底面開口１ｄの開閉蓋１ｂが補充空間部内で開き、内部のメダルが払出（放出）される。払出されたメダルは傾斜した傾斜面１５ｅより連絡傾斜面１５ｆを滑動しながら貯留部付遊技媒体払出し装置１０ｅ内へと導かれていく。
ここでのメダル貸出機２０への補充作業は、手動操作による鍵操作を行わず、然も専用の補充容器１を遊技媒体貸出機２０の正面に設けた突出受皿状の遊技媒体補充部２５に傾斜姿勢で差し込むという傾斜した姿勢にて作業を行うことが出来る。よって、女性店員であっても、従前行っていた水平姿勢を保ちながら補充する作業に比べて、挿入し易くなり、労力を使わず簡易に行うことが出来る。
そして、補充口２５ｂ内に差し込んだ補充容器１内のメダルが全て放出したのを確認し、補充容器１を抜き出すと、貸出機本体部２０ａに備えた施錠装置２５ｇ（ソレノイド）が（自動閉錠）して終了となる。
【００３２】
また上記した補充容器の構成の他に、図９に示すように補充容器１の上面（上面開口１ｃ）を開口した収容容器１ａ（略円形の容器形状）と成し、該収容容器１ａの底面は底部と成している。
補充容器１の上面側に開閉蓋１ｂを設け、該開閉蓋１ｂは把手２に設けた操作部の操作によって開く開閉機構としている。つまり、ここでの収容容器１ａは上面（上面開口１ｃ）のみ一方が開口し、開口した上面側に開閉蓋１ｂが設けられている。よって、上面側の開閉蓋１ｂによって塞ぎ、収容したメダルを運ぶ際、零すことがない。
【００３３】
以上の説明においては、遊技媒体貸出機の正面に設けた突出受皿状の遊技媒体補充部に専用の補充容器を差し込んで補充する構成としたが、遊技媒体貸出機に設けた突出受皿状の遊技媒体補充部を、スロットマシンの正面の正面パネルに設け、スロットマシン内部に設けられた遊技媒体払出し装置内に、専用の補充容器によって補充するようにしても良い。
【図面の簡単な説明】
【００３４】
【図１】本発明の遊技媒体貸出機の構成を示す外観斜視図である。
【図２】本発明の遊技媒体貸出機の構成を示す外観斜視図である。
【図３】他の実施形態の遊技媒体貸出機の構成を示す外観斜視図である。
【図４】他の実施形態の遊技媒体貸出機の構成を示す外観斜視図である。
【図５】本発明の補充容器の閉時状態を示す側面図である。
【図６】本発明の補充容器の開時状態を示す側面図である。
【図７】本発明の補充容器の開時状態を示す外観斜視図である。
【図８】遊技媒体補充部内に補充容器で補充する状態を示す側面図である。
【図９】補充容器の他の実施形態を示す図である。
【符号の説明】
【００３５】
１      補充容器
１ａ    収容容器
１ｂ    開閉蓋
２ａ    操作部
１０    遊技媒体貸出機
１０ａ  貸出機本体部
１０ｅ  遊技媒体払出し装置
１５    遊技媒体補充部
１５ａ  投入カバー
１５ｂ  補充口
１５ｅ  傾斜面
１５ｆ  連絡傾斜面
２０    遊技媒体貸出機（他の実施形態）
２５    遊技媒体補充部（他の実施形態）
【図１】
2005102850.tif 000003
【図２】
2005102850.tif 000004
【図３】
2005102850.tif 000005
【図４】
2005102850.tif 000006
【図５】
2005102850.tif 000007
【図６】
2005102850.tif 000008
【図７】
2005102850.tif 000009
【図８】
2005102850.tif 000010
【図９】
2005102850.tif 000011